(57)【要約】      （修正有）【課題】歯列矯正装置のブラケット取付け用調整ボルトを提供する。【解決手段】歯弓に沿って歯の状態と位置を調整するための調整ボルトが、ナット２およびこれを貫通するスピンドル３を有し、この調整ボルトには、固定ワイヤ６のための保持部５が設けられている。保持部にワイヤを固定するため、保持部５の隣に固定的に配置されたロック用金具取付け部があり、その中に、２つのアームをもつ、平坦で弾力性のあるＵ字形クランプが挿入される。ロック用金具取付け部およびクランプは、挿入されたクランプをこの位置に保持するため、対応するかみ合い部を有している。このポジションにおいて、クランプのアームの先端は保持部５を塞いでおり、ワイヤ６を保持部５の中に固定する。【選択図】図２
2007296357.tif 000002
【特許請求の範囲】
【請求項１】
歯列矯正装置のための調整ボルト、とくに、歯弓に沿って歯の状態と位置を調整するためのテンション・ボルトおよび圧力調整ボルトであり、その際、歯列矯正装置は、歯弓に沿って通る固定ワイヤ、調整ボルト、ナットおよびその中を貫通するスピンドルを有し、これらは、歯列矯正装置の中で歯と歯の間または歯のグループの間に作用する。また、調整ボルトは、直接固定ワイヤを押し込むことのできる保持部を有し、さらにロック金具取付け部が準備され、それによってワイヤを固定する保持部が塞がれる。これは、以下のことを特徴としている。
調整ボルト(１)は、保持部(５、５')の隣に固定的に配置されたストッパ・エレメント(１４、１４')をもつロック用金具取付け部(１３、１３')を有する。
ガイド(１１、１２；１１'、１２')によってロック用金具取付け部(１３、１３')に挿入可能な、主としてＵ字形の、弾力性のあるクランプ(１４)には、Ｕ字湾曲(２０、２０')と２つのアーム(１５、１６)があり、その際、クランプが完全に挿入された状態では、ロック用金具取付け部のＵ字湾曲がストッパの役割を果たす。
ロック用金具取付け部(１３、１３')およびクランプ(１６、１６')のアーム(１７、１８；１７'、１８')は、挿入されたクランプ(１６、１６')をこの位置に保持するため、対応するかみ合い部(２３、２４；２１、２２；２３'、２４'；２１'、２２')を有している。
クランプ(１６、１６')のアームの先端(１７、１８；１７'、１８')は、クランプ(１６、１６')が完全に挿入された状態において保持部(５、５')を塞ぎ、ワイヤ(６)を保持部(５、５')の中に固定するようにサイズが決められている。
【請求項２】
少なくとも保持部(５)の片側に沿って、縦方向に続く突起部(７)が準備されていること、また、突起部(７)は、突起部を完全に貫通する２つのスロット(１１、１２；１１'、１２')を有し、これらのスロットは保持部(５)の側壁に対して垂直に延び、ストッパ(１４、１４')によって互いに分離さられ、その際、クランプ(１６、１６')のアーム(１７、１６；１７'、１６')は、スロット(１１、１２；１１'、１２')に挿入可能であることを特徴とする、請求項１に記載の調整ボルト。
【請求項３】
保持部(５)側にある突起部の壁が、保持部(５)の側壁と面一であることを特徴とする、請求項２に記載の調整ボルト。
【請求項４】
ロック用金具取付け部が、唯一のロック用金具(１３)を有し、これは、俯瞰図において保持部(５)の上にキノコ形の縦断面をもち、ストッパ・エレメントを形成する頭部(１４)に続いて保持部(５)の上に胴(１５)をもつこと、また、保持部(５)側にあるロック用金具(１３)の胴(１５)の側面には、２つのノッチ(２３、２４)が準備されていること、また、クランプ(１６)のアーム(１７、１８)の先端には２つの突起(２１、２２)があり、ロック用金具(１３)のノッチ(２３、２４)にかみ合うことを特徴とする、前述した請求項に記載の調整ボルト。
【請求項５】
ロック用金具取付け部(１３')の外側に、主に保持部(５')に対して垂直に延びる、２つのロック用金具ストリップ(３０、３１)と、これらのストリップの中央にストッパ・エレメント(１４')が取り付けられていること、また、クランプ(１６')とロック用金具取付け部(１３')のかみ合い部(２１'、２２'；２３'、２４')が、クランプ(１６')のアーム(１７'、１８')の外側とこの方向を向いているロック用金具ストリップ(３０、３１)の内側に置かれていることを特徴とする、前述の請求項に記載の調整ボルト。
【請求項６】
ロック用金具取付け部(１３、１３')とクランプ(１６、１６')が、もうひとつのかみ合わせ部(２５、２６、２１、２２；１４'、３２、３３)を有し、これによって、クランプ(１６、１６')がまだ完全にロック用金具取付け部の上に挿入されていない場合でも、クランプが調整ボルトから脱落せずに接続されていることを特徴とする、前述の請求項に記載の調整ボルト。
【請求項７】
クランプ(１６)がL字形の断面を有し、その際、クランプの両方のアーム(１７、１８)は、折り曲がった連結ブリッジ(１９)によって互いに接続されていることを特徴とする、前述の請求項に記載の調整ボルト。
【請求項８】
調整ボルトの外側に、凹部(２７)が準備され、クランプ(１６)が挿入された状態において、この中に連結ブリッジ(１９)が収まることを特徴とする、請求項７に記載の調整ボルト。
【請求項９】
クランプ(１６、１６')がバネ鋼で作られていることを特徴とする前述の請求項に記載の調整ボルト。
【請求項１０】
固定ワイヤ(６)のための保持部(５、５')が切断面においてＵ字形の溝(５、５')であることを特徴とする、前述の請求項に記載の調整ボルト。
【請求項１１】
調整ボルトが固定ツールを有し、それにより、この調整ボルトが力を伝達するために、インプラントネジの中で直接顎骨に固定可能であることを特徴とする、前述の請求項に記載の調整ボルト。
【発明の詳細な説明】
【技術分野】
【０００１】
本発明は、歯列矯正装置のための調整ボルト、とくに請求項１の概念に基づいたテンション・ボルトおよび圧力調整ボルトに関するものである。
【背景技術】
【０００２】
歯列矯正術の重要な課題のひとつは、顎内もしくは歯槽提上において、歯が歯弓または顎弓内で正しく隣り合うように歯の位置関係を調整することにある。原則的に、歯弓内におけるスペースの不足とスペースの過剰を区別しなければならない。スペース不足の場合、まず、歯を正しく収めるためのスペースを作ることが必要である。たとえば、歯と歯の間にすき間があるようなスペース過剰の場合には、歯列矯正治療の際に、歯間の距離を小さくすることによって、この過剰なスペースが解消されなければならない。
【０００３】
このために、歯列矯正術では、固定された矯正装置による技術が多く使用される。そのため、治療する歯の上にいわゆるブラケットが取り付けられるが、それぞれのブラケットには、溝などの保持部がついており、この保持部の中に弧線またはワイヤがはめ込まれる。歯弓内でのスペース過剰またはスペース不足を解消するために、矯正装置の適切な点と点との間に、調整ボルトが取り付けられる。この調整ボルトは、ひとつのナットと、このナットを貫通するスピンドルを有している。結紮線などの固定エレメントによって、歯と歯の間または歯のグループの間に力が加えられ、この力は、調整ボルトを用いて調節することができる。これによって、治療期間にスペースの過剰または不足が解消される。
【０００４】
ひとつまたは複数の調整ボルトをもつ矯正装置の開発は、たとえば、ドイツの特許明細書DE ３２１７２４７ C２において説明されている。この周知の矯正装置は、調整ボルトが４角の固定ワイヤによって保持されており、この固定ワイヤは、同形のチューブ、いわゆる汎用チューブによってブラケットに押し付けられ、折り曲げることによってチューブの中に保持される。
【０００５】
ドイツの新案意匠DE２０１００７６５.７から、主としてＵ字形溝の形をした保持部を有する調整ボルトが周知であり、この溝を直接固定ワイヤの上に押し付けることができる。これによって、補助チューブが不要になり、同時に調整ボルトのために必要なスペースが小さくなる。ワイヤを溝の中に保持するため、ワイヤの固定溝を覆うことのできるロック・エレメントが準備されている。
【０００６】
このロック・エレメントは、たとえば、ヒンジで動き、かみ合うことのできるロック用金具、または振りアームであり、その一方のアームが調整ボルトの中に固定され、２つめの湾曲したアームで直接溝が覆われる。
【発明の開示】
【発明が解決しようとする課題】
【０００７】
本発明は、このような調整ボルトを改良し、実現するという課題に基づいている。調整ボルトは、単純な構造を有しているべきであり、ワイヤを調整ボルトの保持部に確実に保持することができなくてはならない。さらに、調整ボルトは簡単に製造できることが必要である。
【課題を解決するための手段】
【０００８】
これらの課題は、発明に基づいて、請求項１の特徴をもつ方法によって解決される。
【０００９】
詳細な実施形態を以下に示す。
【発明を実施するための最良の形態】
【００１０】
この調整ボルトは、溝など保持部の隣に配置された、ストッパをもつロック用金具の取付け部を有している。このロック用金具取付け部に、たとえば薄いバネ鋼でできた、主としてＵ字型の、平坦で弾力性のあるクランプが、ガイドを通じて挿入される。このクランプは、Ｕ字湾曲と２つのアームを有し、その際、クランプが完全に挿入された状態では、Ｕ字湾曲がストッパの役割を果たす。ロック用金具取付け部およびクランプのアームは、挿入されたクランプをこの位置に保持するため、対応するノッチ部を有している。クランプのアームの先端は、クランプが完全に挿入された状態において、アームが保持部を覆い、ワイヤを保持部の中に固定するようにサイズが決められている。
【００１１】
発明の優先的な実施形態によれば、少なくとも保持部の片側に沿って、縦方向に続く突起部が準備されており、保持部側の突起部の壁は、保持部の側壁と面一である。この場合、突起部は、クランプをガイドするために、突起部または突起部の壁を完全に貫通する２つのスロットを有し、これらのスロットは保持部の側壁に対して垂直に延び、ストッパによって互いに分けられている。突起部内のスロットは、その幅と厚さが、該当する弾性クランプのアームのサイズに適合している。クランプの２つのアームは、この両方のスロットを通って差し込まれ、この時、対応するクランプのかみ合い部とロック用金具取付け部とが、クランプの終端位置で互いにかみ合い、クランプをその場所に固定する。クランプのアームの先端は、保持部を覆い、ワイヤを保持部の中に固定する。
【００１２】
発明の優先的な実施形態に基づき、ロック用金具の取付け部は、１個のロック用金具のみを有し、このロック用金具は縦断面がキノコのような形状であり、ストッパ要素を形成する頭部とかみ合い部のある胴を有している。ロック用金具の胴の、保持部の側に向いた側面には、２つのノッチが準備されている。クランプの固定されていないアームの先端には、それに対応する突起部があり、クランプが完全に挿入された状態のとき、この突起部がロック用金具のノッチにかみ合う。このポジションのとき、クランプはロック用金具を包み込む形になる。
【００１３】
もうひとつの優先的な発明の実施形態によれば、ロック用金具取付け部の外側には、主として固定ワイヤの保持部に対して垂直に延びる、２つのロック用金具ストリップが取り付けられ、これらのストリップの中央にストッパ・エレメントが配置されている。クランプとロック用金具取付け部の対応するかみ合い部は、クランプのアームの外側とアーム側のロック用金具ストリップの内側に配置されている。
【００１４】
もうひとつの優先的な発明の実施形態は、クランプとロック用金具取付け部との間に第２の対応するかみ合い部が準備されており、これによって、すでに一部が挿入されているクランプがスロットから引き出されないようになる。従って、クランプは、まだ完全にロック用金具取付け部に挿入されていない場合でも、常にロック用金具とつなげられている。このことによって、個別部品のクランプが脱落してしまうのを防ぐことができる。
【００１５】
さらなる発明の実施形態においては、調整ボルトにもうひとつ全ネジまたはスタッドボルトが取り付けられており、これで調整ボルトを顎骨のインプラントネジに固定することができる。
【００１６】
図１〜４ｂには、テンション・ボルト１が示されており、これはボルト・ナット２を有し、ボルト・スピンドル３はこのナットの中にねじ込むことができる。付属部４は、このボルト・ナット２と接続されており、この断面では長方形の溝５を有している。この場合、溝５は、この断面では長方形の固定ワイヤ６の上に直接はめ込むことができ、固定ワイヤ６は溝５の中で支持されている。溝および固定ワイヤの断面は、もちろん別の形でもよい。
【００１７】
溝５の両側の側壁と面一の状態で、２つの突起部、すなわち第１突起部７と第２突起部８とが溝５の対面する側面上に準備されている。第１突起部７には、貫通する２つのスロット１１および１２が取り付けられ、これらのスロットは、それぞれ突起部７の対面する端から出発し、断面が「キノコ形」をした、頭部１４と胴１５をもつロック用金具１３によって分離されている。ロック用金具１３は、スロット１１および１２の奥行き全体にわたって伸び、とくに付属部４および第１突起部７と共に一体形成されている
【００１８】
スロット１１および１２は、溝５に対して垂直に作られており、溝５の底壁と対面する側の、溝５の中にはめ込まれている固定ワイヤ６のちょうど側面付近で終了している。
【００１９】
固定ワイヤ６を溝５にロックするために、図３および４a、４bに示された、薄い弾性のあるバネ鋼でできたクランプ１６が準備されている。このクランプは、図４から分かるように、上から見ると第１アーム１７と第２アーム１８とをもつU字形を形成しており、これら２つのアームは、折り曲げられた連結ブリッジ１９によって互いに接続されている。それによって、図４bから分かるように、断面がL字のような形となる。
アーム１７、１８および連結ブリッジ１９の間の部分は、「U字湾曲」２０と呼ぶ。
【００２０】
アーム１７および１８は、図４aから分かるように、長方形に近く、その先端には互いに向かい合った突起２１、２２がつけられている。このクランプ１６の両方のアーム１７と１８をスロット１１および１２に挿入し、その際、クランプ１６が完全に挿入された状態では、ロック用金具１３の頭部１４がクランプ１６のストッパとして働き、U字湾曲２０の中に収容される。アーム１７および１８は、クランプ１６が完全に挿入されたポジションにおいて、キノコ形のロック用金具１３を掴む。このとき、突起２１および２２は、ロック用金具１３の胴１５の先端で、該当するノッチ２３または２４に接着し、これによって、クランプ１６が固定される。アームの弾力性によって、アームはまずこのノッチを超えて、ノッチの後ろでロック用金具ポジションに飛び込むことができる。クランプのアーム１７および１８は、挿入された状態において、その先端部分で溝５を完全に塞ぐことによって、溝５に収まっているワイヤ６を固定する。アーム１７および１８の先端は、このとき、第２突起部８の内壁に密着している。この第２突起部８に、ここでは示されていない小さな溝を設け、その中にアーム１７および１８の先端をはめ込み、それによって挿入ポジションにあるクランプ１６を固定するように準備することもできる。
【００２１】
ロック用金具１３には、さらに、溝５の方向に第２のノッチ２５および２６が準備されており、これはロック用金具１３の頭部１４の「下方」エッジに配置されている。クランプ１６が頭部１４の上から挿入された場合、突起２１、２２がこれらのノッチ２５と２６にかみ合わさり、それによってクランプ１６がテンション・ボルト１から脱落することなく保持される。
【００２２】
付属部４の外側には、もうひとつの凹部が準備され、クランプ１６が挿入された状態では、この中に連結ブリッジ１９を収めることによって、テンション・ボルトの外側が平坦になる。
【００２３】
前述においては、クランプ１６のアーム１７および１８のガイドのために、付属部４にスロット１１と１２が準備されているが、たとえば、ロック用金具１３が溝のようなガイド・レールを有し、その中にアーム１７と１８の内側エッジを通すといった、別の方法も考えられる。さらに、突起部７の長さを縮小することも可能である。
【００２４】
図５には、図３に対するもうひとつの発明の実施形態として、ロック用金具取付け部１３'およびクランプ１６'の外観が示されている。ロック用金具取付け部１３'は、上述のロック・エレメント１３の頭部１４に対応するセンタのストッパ・エレメント１４'と、スロット１１'および１２'の両外面にそれぞれロック用金具ストリップを有している。ロック用金具ストリップ３０、３１は、それぞれ溝５'側の端に、内側を向いた突起２３'または２４'を有している。
【００２５】
平坦な薄いバネ鋼でできた同じくＵ字形のクランプ１６'には、２つのアーム１７'および１８'と、その間にあるＵ字湾曲２０'が準備され、その際、アームの外面は、ロック用金具取付け部１３'の突起２３'、２４'に対応するノッチ２１'および２２'が切り取られている。クランプ１６'は、そのアームと共に、ロック用金具１３'のスロット１１'および１２'の中に差し込まれ、ノッチ２１'、２２'がこれに対応するロック用金具取付け部の突起２３'、２４'にかみ合って、クランプ１６'を固定する。このポジションにおいて、ストッパ・エレメント１４'がＵ字湾曲２０'の中に収納され、アーム１７'、１８'の先端が溝５'を完全に塞ぐ。
【００２６】
アーム１７'、１８'の内側には、さらに２つの凹部３２および３３が準備され、クランプ１６'がまだ挿入されていない場合に、この凹部がストッパ１４'を掴んで、クランプが脱落しないように調整ボルトの中に固定する。
【００２７】
前述においては、調整ボルトを直接ワイヤの上に固定することが説明されたが、スクリューキャップ、スタッドボルトなどの固定ツールを使って、インプラントネジの中で直接顎骨に調整ボルトを固定することが可能である。この場合も、調整ボルトの構造は変わらない。さらに、この調整ボルトが顎骨内のポジションに固定されていても、ワイヤをこの中に収容することが可能である。
【図面の簡単な説明】
【００２８】
図を用いて発明の実施例をより詳しく説明する。ここでは、以下の図が示されている。
【図１】：本発明に基づくテンション・ボルトの俯瞰図。
【図２】：図１のテンション・ボルトの側面図。
【図３】：図２の線III−IIIで切断したテンション・ボルトの断面図。唯一のロック用金具をもつロック用金具取付け部およびテンション・ボルト内に挿入できるクランプの俯瞰図。
【図４ａ】
【図４ｂ】：クランプの俯瞰図またはクランプの側面図。
【図５】：図３に対応する、もうひとつのロック用金具取付け部およびクランプの形態図。
【図１】
2007296357.tif 000003
【図２】
2007296357.tif 000004
【図３】
2007296357.tif 000005
【図４ａ】
2007296357.tif 000006
【図４ｂ】
2007296357.tif 000007
【図５】
2007296357.tif 000008
【手続補正書】
【提出日】平成19年5月28日(2007.5.28)
【手続補正１】
【補正対象書類名】明細書
【補正対象項目名】００２８
【補正方法】変更
【補正の内容】
【００２８】
図を用いて発明の実施例をより詳しく説明する。ここでは、以下の図が示されている。
【図１】本発明に基づくテンション・ボルトの俯瞰図。
【図２】図１のテンション・ボルトの側面図。
【図３】図２の線III−IIIで切断したテンション・ボルトの断面図。唯一のロック用金具をもつロック用金具取付け部およびテンション・ボルト内に挿入できるクランプの俯瞰図。
【図４ａ】クランプの俯瞰図。
【図４ｂ】クランプの側面図。
【図５】図３に対応する、もうひとつのロック用金具取付け部およびクランプの形態図。